(57)【要約】      （修正有）【課題】バッグ本体の内面を被覆しているライナーに付着した汚れを容易に除去できるバッグを提供する。【解決手段】上部開口２１を有する袋状のバッグ本体２と、バッグ本体２の内面を被覆するライナー３とを備えるバッグ１であって、ライナー３をバッグ本体２に着脱自在に取り付け可能な係着手段４を備えているバッグ１。これにより、容易にライナー３を取り外して洗濯することができ、また自らの好みに応じたバッグ本体とライナーの組み合わせを選択することも可能になる。【選択図】図１
0003145519.tif 000002
【実用新案登録請求の範囲】
【請求項１】
上部開口を有する袋状のバッグ本体と、前記バッグ本体の内面を被覆するライナーとを備えるバッグであって、
前記ライナーを前記バッグ本体に着脱自在に取り付け可能な係着手段を備えているバッグ。
【請求項２】
前記係着手段は、前記バッグ本体の内側に設けられる第１係着部、及び、前記ライナーに設けられ、前記第１係着部に係着する第２係着部を備える請求項１に記載のバッグ。
【請求項３】
前記ライナーは、上部開口を有する袋状に形成されており、
前記第１係着部は、前記バッグ本体の上部開口近傍に設けられており、前記第２係着部は、前記ライナーの上部開口近傍に設けられている請求項１に記載のバッグ。
【考案の詳細な説明】
【技術分野】
【０００１】
本考案は、バッグ、特に、バッグ本体の内面を被覆しているライナーに付着した汚れを容易に除去できるバッグに関する。
【背景技術】
【０００２】
従来、種々の物品を収容し携帯するためにバッグとして、図４に示すように、把手付きの袋状のバッグ本体１００と、このバッグ本体１００の内面を被覆するように縫製されたライナー１０１とを備えるものが知られている。
【考案の開示】
【考案が解決しようとする課題】
【０００３】
ところが、上述のようなバッグにおいては、バッグ本体の内面を被覆しているライナーに汚れが付着した場合、付着した汚れを除去することが難しいという問題があった。
【０００４】
本考案は、このような問題を解決するためになされたものであって、バッグ本体の内面を被覆しているライナーに付着した汚れを容易に除去できるバッグを提供することを目的とする。
【課題を解決するための手段】
【０００５】
本考案の上記目的は、上部開口を有する袋状のバッグ本体と、前記バッグ本体の内面を被覆するライナーとを備えるバッグであって、前記ライナーを前記バッグ本体に着脱自在に取り付け可能な係着手段を備えているバッグにより達成される。
【０００６】
また、このバッグにおいて、前記係着手段は、前記バッグ本体の内側に設けられる第１係着部、及び、前記ライナーに設けられ、前記第１係着部に係着する第２係着部を備えることが好ましい。
【０００７】
また、前記ライナーは、上部開口を有する袋状に形成されており、前記第１係着部は、前記バッグ本体の上部開口近傍に設けられており、前記第２係着部は、前記ライナーの上部開口近傍に設けられていることが好ましい。
【考案の効果】
【０００８】
本考案によれば、バッグ本体の内面を被覆しているライナーに付着した汚れを容易に除去できるバッグを提供することができる。
【考案を実施するための最良の形態】
【０００９】
以下、本考案のバッグ１について添付図面を参照して説明する。図１は、本考案の一実施形態に係るバッグ１の概略構成斜視図である。図２は、図１に示すバッグ１１の主要な構成部品を分離させた状態を示す斜視図である。
【００１０】
このバッグ１は、図１及び図２に示すように、バッグ本体２と、バッグ本体２内部に収容されるライナー３と、バッグ本体２及びライナー３を係着する係着手段４とを備えている。
【００１１】
バッグ本体２は、上部開口２１を有する袋状の形状に形成されており、一対の把手５，５を上部開口２１に備えている。このバッグ本体２を形成する材料としては、天然繊維もしくは合成繊維の織布や前記繊維の織布を複数重ね合わせ縫合した布体、天然繊維または合成繊維を綿状にしてマット状に形成した不織布、プラスチック素材等の合成樹脂、皮革等を例示することができる。バッグ本体２の上部開口２１は、その周縁に沿ってバッグ本体２の内側に折り返される折り返し部２２を備えている。なお、バッグ本体２の外部周壁に種々の大きさのポケットを適宜設けるようにし、ハンカチやティッシュペーパー、携帯電話等の小物類を収納できるようにしてもよい。また、バッグ本体２の底面に合成樹脂製の補強板を挿入してもよい。
【００１２】
ライナー３は、バッグ本体２の内面を被覆するものであり、上部開口３１を有する袋状の形状に形成されている、このライナー３を形成する材料としては、上述したバッグ本体２を形成する材料と同じ材料を例示することができる。なお、ライナー３の内部の周壁にも種々の大きさのポケットを適宜設けるようにし、ハンカチやティッシュペーパー、携帯電話、財布、キーケース等の小物類を収納できるようにしてもよい。
【００１３】
係着手段４は、バッグ本体２と、バッグ本体２の内面を被覆するライナー３とを着脱自在に取り付ける部材である。この係着手段４は、バッグ本体２の内側であってバッグ本体２の上部開口２１近傍に設けられる第１係着部４１と、ライナー３の上部開口３１近傍に設けられ、第１係着部４１に係着する第２係着部４２とを備えている。係着手段４としては、バッグ本体２とライナー３とを着脱自在に取り付けることが可能な部材であれば、特に限定されず、例えば、第１係着部４１をボタン孔により構成し、第２係着部４２をボタン孔に挿通されるボタンにより構成することができる。また、第１係着部４１及び第２係着部４２を雌雄のスナップホックによりそれぞれ構成してもよく、あるいは、面ファスナーにより構成してもよい。ここで、面ファスナーとは、フック状に起毛された側とループ状に密集して起毛された側とを押し付けることにより、両者が貼り付くように形成された係着部材をいう。
【００１４】
本実施形態においては、第１係着部４１をバッグ本体２の折り返し部２２に形成されるボタン孔により構成し、第２係着部４２をライナー３の内側であって、その上部開口３１近傍に設けられる丸ボタンにより構成している。
【００１５】
本実施形態に係るバッグ１は、上述のように、バッグ本体２とライナー３とが係着手段４により着脱自在に取り付けられているので、例えばバッグ１に収納したお弁当箱から漏れ出た汁等の汚れがライナー３に付着した場合には、ライナー３をバッグ本体２から簡単に取り外すことができ、取り外したライナー３を洗濯等することにより容易にライナー３に付着した汚れを除去することができる。ライナー３が洗濯するのに適さない皮革素材により形成されている場合であっても、ライナー３をバッグ本体２から取り外すことにより汚れを簡単に拭き取ることができる。
【００１６】
また、第１係着部４１をバッグ本体２の折り返し部２２に形成されるボタン孔により構成し、第２係着部４２をライナー３の内側であって、その上部開口３１近傍に設けられるボタンにより構成しているため、バッグ本体２にライナー３を取り付けた場合、図３の断面図に示すように、バッグ本体２に形成される折り返し部２２が、ライナー３の上部開口３１に覆い被さるように配置されることになる。これにより、バッグ本体２とライナー３との隙間に埃等が入り込んでしまうことを確実に防止することができる。また、バッグ１に収容される収容物（例えば、メモ用紙や筆記具等）がバッグ本体２とライナー３との隙間に誤って入り込むことを防止することができる。
【００１７】
また、バッグ本体２とライナー３とを着脱自在に取り付けることができるので、種々の色や模様等によりデザインされた複数のバッグ本体２と、種々の色や模様等によりデザインされた複数のライナー３とを準備しておくことにより、バッグ１の使用者が自らの好みに応じたバック本体とライナー３との組み合わせを選択することが可能になる。
【００１８】
以上、本考案にかかるバッグ１の一実施形態について説明したが、本考案の具体的な態様は上記実施形態に限定されない。例えば、上記実施形態においては、バッグ本体２の上部開口２１に把手５，５を取り付けるようにしているが、把手５，５の代わりに肩掛けベルトをバッグ本体２の上部開口２１に取り付けるようにしてもよく、或いは、把手５，５と肩掛けベルトの両方をバッグ本体２の上部開口２１に取り付けるようにしてもよい。
【００１９】
また、上記実施形態においては、第１係着部４１をバッグ本体２の折り返し部２２に形成されるボタン孔により構成し、第２係着部４２をライナー３の内側であって、その上部開口３１近傍に設けられるボタンにより構成しているが、例えば、バッグ本体２の折り返し部２２を形成せずに、バッグ本体２の上部開口２１近傍にボタン孔により構成される第１係着部４１を設けると共に、ライナー３の外側であって、その上部開口３１近傍にボタンにより構成される第２係着部４２を設けるようにしてもよい。
【図面の簡単な説明】
【００２０】
【図１】本考案の一実施形態に係るバッグの概略構成斜視図である。
【図２】図１に示すバッグの主要な構成部品を分離させた状態を示す斜視図である。
【図３】図１のＡ−Ａ断面図である。
【図４】従来のバッグを示す概略構成斜視図である。
【符号の説明】
【００２１】
１  バッグ
２  バッグ本体
２１  バッグ本体の上部開口
２２  折り返し部
３  ライナー
３１  ライナーの上部開口
４  係着手段
４１  第１係着部
４２  第２係着部
５  把手
【図１】
0003145519.tif 000003
【図２】
0003145519.tif 000004
【図３】
0003145519.tif 000005
【図４】
0003145519.tif 000006